(57)【特許請求の範囲】
【請求項１】
フランジ付の鋼製大引の上に根太を繋止して支持するための金具であって、根太があてがわれる根太受けと、この根太受けを大引の上フランジに取り付けるためのクリップとを備え、根太受けは、短冊形の板体が断面Ｌ字形に折曲されて起立部および底部となされ、この起立部には根太を固定するためのビス通孔が設けられてなる一方、
クリップは、上記根太受けよりも薄くて弾性を有する根太受けとは別体の板体からなり、基板部が根太受けの底部の上面に固着され、この基板部から根太受けの側方に延出した弾性を有する板体が根太受けの下側に折り返されてクリップ片部となされ、このクリップ片部は根太受けに接近するように形成されるとともにその先端部を下向きに反曲されてなるものであって、このクリップが、大引の上フランジを側方から挟み込むことができるようになされたことを特徴とする根太支持金具。
【請求項２】
上記根太受けは、起立部の底部側の面に、該起立部とほぼ同じ大きさの第一の緩衝材が貼付されるとともに、起立部のビス通孔には内側にパッキンが嵌入される一方、上記クリップの上面には、根太受けの底部とほぼ同じ大きさの第二の緩衝材が貼付されてなることを特徴とする、請求項１に記載の根太支持金具。
【発明の詳細な説明】
【０００１】
【発明の属する技術分野】
本発明は、建物の床組において、鋼製の大引に根太を繋止して支持するための根太支持金具に関する。
【０００２】
【従来の技術】
建物の床組構造が大引や根太等の軸材を主体にしたものとなる場合、強度や耐久性の確保のため、大引が鋼製とされ、その上に木製あるいは鋼製の根太が載架される。この鋼製の大引にはＨ形鋼がよく用いられるが、大引と根太との繋止方法は、従来、以下のようであった。
【０００３】
すなわち、根太を直接大引にビス止めするか、あるいは、大引と根太の双方にあらかじめビス通孔を加工して両者をボルト接合するものであった。
【０００４】
また、大引の上フランジの上面の所定位置に、根太を接合するための補助部材をあらかじめ固定し、これに根太を添置して接合することもあった。この補助部材は平板、または山形鋼の切片のような断面Ｌ字形のものがよく用いられ、またその固定方法は溶接またはボルト接合によるのが一般的であった。
【０００５】
【発明が解決しようとする課題】
しかし、直接ビス止めする方法では、タッピングビス等を用いる必要があり、また根太の高さが大きい場合には軸の長いビスを用いる必要があった。ボルト接合や補助部材を用いる方法では、あらかじめ、大引、根太または補助部材に対して、穴あけや溶接など何らかの加工を施しておくことも必要であった。そして、根太や補助部材を固定する際の位置決めに正確を要し、施工性も良くなかった。さらに、大引に穴あけを行なう場合には、部材強度を損なうおそれもあった。
【０００６】
そこで、本発明の目的は、上記のような不利、不便を改善すべく、鋼製の大引の上に根太を繋止して支持するための施工性のよい金具を提供することにある。また、床組の部材の伸縮や変形によって部材の接合部に隙間が生じると、床面が荷重や振動をうけて接合部が擦れたり軋んだりするときに、いわゆる床鳴りを生じることが多い。床鳴りは、特に、軸材や板材に伸縮の大きい木材が用いられている場合や、部材や部品の接合部に金属同士の接触面が設けられている場合に生じやすい。
そこで、本発明の第二の目的は、上記の根太支持金具を使用する際の床鳴りを低減することにある。
【０００７】
【課題を解決するための手段】
上記の目的を達成するため、本発明に係る根太支持金具は、フランジ付の鋼製大引の上に根太を繋止して支持するための金具であって、根太があてがわれる根太受けと、この根太受けを大引の上フランジに取り付けるためのクリップとを備え、根太受けは、短冊形の板体が断面Ｌ字形に折曲されて起立部および底部となされ、この起立部には根太を固定するためのビス通孔が設けられてなる一方、クリップは、上記根太受けよりも薄くて弾性を有する根太受けとは別体の板体からなり、基板部が根太受けの底部の上面に固着され、この基板部から根太受けの側方に延出した弾性を有する板体が根太受けの下側に折り返されてクリップ片部となされ、このクリップ片部は根太受けに接近するように形成されるとともにその先端部を下向きに反曲されてなるものであって、このクリップが、大引の上フランジを側方から挟み込むことができるようになされたことを特徴としている。
【０００８】
また上記第二の目的を達成するため、根太支持金具の上記根太受けは、起立部の底部側の面に、該起立部とほぼ同じ大きさの第一の緩衝材が貼付されるとともに、起立部のビス通孔には内側にパッキンが嵌入される一方、上記クリップの上面には、根太受けの底部とほぼ同じ大きさの第二の緩衝材が貼付されてなることを特徴としている。
【０００９】
【発明の実施の形態】
以下、本発明の実施の形態を、図面を参照して説明する。
【００１０】
図１は、本発明に係る根太支持金具１の構成と形状を示し、図２および図３は、根太支持金具１の使用状態を示している。
【００１１】
ここでは、Ｈ形鋼による大引２の上に、根太支持金具１が取り付けられ、その上に木製の根太３があてがわれて繋止されている。
【００１２】
この根太支持金具１は、根太３があてがわれる根太受け４と、この根太受け４を大引２の上フランジ２１に取り付けるためのクリップ５とを備えている。
【００１３】
根太受け４は、短冊形の金属製の板体が断面Ｌ字形に折曲されたもので、折曲線を境に起立部４１および底部４２となされている。起立部４１には、中心軸上の上下二カ所にビス通孔４１０、４１０が設けられ、この起立部４１に根太３をあてがい、ビス６１等を根太３に螺着して固定することができるようになされている。そして、このビス通孔４１０の内側には、ビス通孔４１０の内径と同程度の外径を有する円筒形のパッキン７０が嵌入され、ビス６１と起立部４１との接触が緩衝されるようになされている。また、起立部４１の、底部４２側に向いた側面には、起立部４１とほぼ同じ大きさの平板状になされた第一の緩衝材７１が貼付されている。
【００１４】
一方、クリップ５は、根太受け４よりもやや薄くて弾性を有する別の板体が加工されたものである。クリップ５は、根太受け４の底部４２の上面に、基板部５１を後述の第二の緩衝材７２とともに重ねられて二本のリベット６２、６２で鋲着されている。そして、基板部５１から根太受け４の側方、すなわち根太受け４の折曲線方向の一方に延出された部分が、根太受け４の下側に折り返されてクリップ片部５２となされている。このクリップ片部５２の先端側は、根太受け４の底部４２に接近するように形成されるとともに、板幅がやや小さくなされ、その先端部５３は下向きに反曲されて大引２のフランジ２１を挟みやすくなされている。
【００１５】
ただし、このクリップ片部５２と根太受け４の底部４２の下面との最小間隔ｃは、図３（ｂ）に示すように、大引２のフランジ２１の厚みｄよりも若干狭くなされている。また、クリップ片部５２の長さｇは、大引２のフランジ２１の片側下面の幅ｆよりも若干短くなされている。
【００１６】
そして、根太受け４の底部４２とクリップ５の基板部５１とが重ねられた部分の上面には、底部４２とほぼ同じ大きさの平板状になされた第二の緩衝材７２が貼付されている。
【００１７】
この根太支持金具１を使用した床組の構造とその施工方法について、図４を参照して説明する。
【００１８】
まず、複数の基礎８１の間の所定位置に、Ｈ形鋼を用いた鋼製大引２が配置される。この大引２の両端には、軸方向と直角に断面全体を含む略長方形のエンドプレート２３が接合されている。そして、両端のエンドプレート２３の外側には、断面Ｌ字形の係止部材２４が接合されている。この係止部材２４は、エンドプレート２３に接した垂下部２５と、垂下部２５に直交し軸方向の外向きに突設した水平部２６とを備えている。この水平部２６が基礎８１の上に係止されることにより大引２が複数の基礎８１の間に載架される。水平部２６にはボルト通孔２７が二ヶ所ずつ設けられており、基礎８１に配置されたアンカーボルト８２がこのボルト通孔２７に挿通されるようにして大引２の位置が定められる。そして、大引２の上には土台８３が重ねられて、アンカーボルト８２により一体で固定されている。
【００１９】
大引の上フランジ２１の上面には、根太３を載架する位置が印され、これに合わせて、必要な個数の根太支持金具１が大引２に取り付けられる。この取り付けは、大引２の上フランジ２１をクリップ５の先端部５３でくわえるように根太支持金具１をあてがい、クリップ５の背側をハンマー等で叩きながら上フランジ２１に打ち込めばよい。根太支持金具１の位置や角度が多少ずれた場合でも、軽く叩きながら修正することが可能である。向きと位置を揃えて配置された根太支持金具１の上に、根太３が載架され、根太受けの起立部４１に添置される。このときに、さらに根太支持金具１の位置を微調整することもできる。そして、起立部４１の反対側からビスで螺着されることにより、根太３が大引２の上に固定される。そして、この根太３の上に床面材９が敷設されている。
【００２０】
このような構造および施工方法によれば、大引２や根太３に対して事前に特別な加工をしなくとも、簡単に、効率よく床組工事を行なうことができる。大引２と根太３の相互の位置調整も、この根太支持金具１を用ることにより容易になる。また、根太３は、木製であっても鋼製であってもよい。
【００２１】
次いで、緩衝材およびパッキンの作用について、図１および図３を参照して説明する。
【００２２】
この根太支持金具１と根太３との接触部分、すなわち起立部４１の側面およびクリップ５の上面には、緩衝材７１、７２が貼付されている。また、根太３を螺着するビス通孔４１０にもパッキン７０が嵌入され、ビス６１と根太支持金具１との接触が緩衝されている。これにより、木製の根太３の収縮等による多少の寸法変化はパッキン７０や緩衝材７１、７２の弾性変形で吸収される。また、根太３と根太支持金具１の金属部分とが直接に接触しないようになされているため、床面にかかる荷重や振動も、根太３から大引２に伝わる間に根太支持金具１によって吸収される。その結果、部材の接合部の摩擦や軋みから生じる床鳴りを抑えることが可能になる。
これらのパッキン７０および緩衝材７１、７２に用いられる素材には、耐候性、耐老化性、難燃性、加工性、経済性等に優れる合成高分子材料が望ましい。具体的には、合成ゴム系素材、例えば、クロロプレンゴム、エチレンプロピレンゴムなどが適当である。
【００２３】
なお、上記の実施の形態では、根太受け４をＬ字形の断面の開放側から見たときに、底部４２の向かって左側にクリップ５が延出した形態となされている。しかし、クリップ５は、図４（ａ）のように、向かって右側に延出してもよい。右タイプと左タイプの両方が用意されれば一層便利で、部材の形状や使用部位にあわせて使い分けることも可能になる。また、起立部４１の高さについても、図４（ｂ）のように、根太３の大きさに対応した異なるタイプの物が複数用意されれば便利である。
【００２４】
【発明の効果】
請求項１の発明の根太支持金具によれば、クリップで大引の上フランジを挟むだけで根太支持金具を大引に取り付けることができる。クリップのクリップ片部は、弾性を有する板体が根太受けの下側に折り返され、さらにその先端部が下向きに反曲されているので、軽く叩くだけで簡単に大引のフランジを挟み込むことができる。そのため、大引に対して事前に特別な加工を施さなくとも、大引の任意の位置に、容易にかつ効率よく根太支持金具を配置し、取り付けることが可能になる。その結果、床組工事の施工性が向上する。
【００２５】
また、請求項２の発明の根太支持金具によれば、根太支持金具と根太との接触面に緩衝材が貼付され、かつ、根太を螺着するためのビス通孔にもパッキンが嵌入されている。そのため、部材の多少の寸法変化は緩衝材やパッキンによって吸収されるとともに、床面にかかる荷重や振動が緩衝され、部材の接合部の摩擦や軋みから生じる床鳴りを抑えることが可能になる。
【図面の簡単な説明】
【図１】本発明に係る根太支持金具の構成と形状を示す斜視図である。
【図２】根太支持金具の使用状態を示す斜視図である。
【図３】根太支持金具の使用状態を示す側面図で、（ａ）図は根太方向から見た図、（ｂ）図は大引方向から見た図である。
【図４】根太支持金具を使用した床組の構造を示す斜視図である。
【図５】根太支持金具の他の実施の形態を示す斜視図である。
【符号の説明】
１  根太支持金具
２  大引
２１  上フランジ
３  根太
４  根太受け
４１  起立部
４１０  ビス通孔
４２  底部
５  クリップ
５１  基板部
５２  クリップ片部
５３  先端部
６１  ビス
７０  パッキン
７１  第一の緩衝材
７２  第二の緩衝材
【図１】
0003571509.tif 000002
【図２】
0003571509.tif 000003
【図３】
0003571509.tif 000004
【図４】
0003571509.tif 000005
【図５】
0003571509.tif 000006